(57)【要約】【課題】  膨大なコスト高を招くこと無く、バックミラーを追加することができるミラー取付アダプタを提供する。【解決手段】  アダプタ本体２１の裏面に、フロントウインドウ１１の固定ベース１２に取り付けられるアダプタ取付部２２を長さ方向中央部に設ける。アダプタ本体２１の表面に、アダプタ取付部２２を境とした上側及び下側のそれぞれにバックミラー固定ベース３１を突設し、各バックミラー固定ベース３１による固定位置をアダプタ取付部２２による固定位置と異なる位置に設定する。アダプタ本体２１上側のバックミラー固定ベース３１に助手席用バックミラー１４を取り付け、下側のバックミラー固定ベース３１に運転席用バックミラー１３を取り付ける。両バックミラー１３，１４を標準バックミラーで構成し、両バックミラー１３，１４の取付部４３をバックミラー固定ベース３１に取り付け可能に構成されている。【選択図】        図２
2005280494.tif 000002
【特許請求の範囲】
【請求項１】
バックミラーに設けられた取付部をフロントウインドウに突設された固定ベースに取り付ける構造の車両で使用されるミラー取付アダプタであって、
アダプタ本体の一面に、前記固定ベースに取り付けられるアダプタ取付部を設けるとともに、前記アダプタ本体の他面に、前記バックミラーの前記取付部が取り付けられるバックミラー固定ベースを設け、前記アダプタ取付部による固定位置と前記バックミラー固定ベースによる固定位置とを異なる位置に設定したことを特徴とするミラー取付アダプタ。
【請求項２】
前記アダプタ本体に設けられた前記バックミラー固定ベースを二箇所に設定したことを特徴とする請求項１記載のミラー取付アダプタ。
【請求項３】
前記アダプタ本体に設けられた前記バックミラー固定ベースを一箇所に設定するとともに、その設定位置を、取付状態において前記アダプタ取付部による固定位置より下方に設定したことを特徴とする請求項１記載のミラー取付アダプタ。
【発明の詳細な説明】
【技術分野】
【０００１】
本発明は、例えば自動車教習用の車両で使用されるミラー取付アダプタに関する。
【背景技術】
【０００２】
従来、自動車教習所では、自動車教習車が使用されている。
【０００３】
この自動車教習車には、生徒が着座する運転席から車両後方を確認する為の運転席用バックミラーと、教官が着座する助手席から車両後方を確認する為の助手席用バックミラーとが設けられている。前記運転席用バックミラーは、標準車に装備されているが、前記助手席用バックミラーは、標準車に装備されていない。
【０００４】
このため、図４の（ａ）に示すように、標準装備のバックミラーを取り外し、一つのステイに二つのミラーが設けられたバックミラー１０１をルーフ１０２に取り付けたり、図４の（ｂ）に示すように、ミラー取付用の固定ベースが二箇所に設けられたフロントウインドウ１０３を新たに用意し、各固定ベースに運転席用バックミラー１０４と助手席用バックミラー１０５とを設ける方法が考えられるが、二つのミラーが設けられたバックミラー１０１を新たに製造したり、固定ベースが二箇所に設けられたフロントウインドウ１０３を新たに製造するには、膨大なコストがかかってしまう。
【０００５】
そこで、図４の（ｃ）に示すように、助手席用バックミラー１１１を、ルーフ１０２に新設して、ガラス貼り付けタイプの運転席用バックミラー１１２と併設する手法が取られていた。
【発明の開示】
【発明が解決しようとする課題】
【０００６】
しかしながら、ガラス貼り付けタイプの運転席用バックミラー１１２上部に、助手席用バックミラー１１１を新設する場合には、後付けされる助手席用バックミラー１１１が運転席用バックミラー１１２に映り込む恐れがあり、この映り込みを回避する為に助手席用バックミラー１１１を特注品とするとともに固定位置を工夫する等、多大な苦労を要する。
【０００７】
また、ガラス貼り付けタイプのバックミラーは、車両後方を視認する上で最も良い位置に設定されており、後付けされるバックミラーによる後方視認性が犠牲となりがちであった。
【０００８】
本発明は、このような従来の課題に鑑みてなされたものであり、膨大なコスト高を招くこと無く、バックミラーを追加することができるミラー取付アダプタを提供することを目的とするものである。
【課題を解決するための手段】
【０００９】
前記課題を解決するために本発明の請求項１のミラー取付アダプタにあっては、バックミラーに設けられた取付部をフロントウインドウに突設された固定ベースに取り付ける構造の車両で使用されるミラー取付アダプタであって、アダプタ本体の一面に、前記固定ベースに取り付けられるアダプタ取付部を設けるとともに、前記アダプタ本体の他面に、前記バックミラーの前記取付部が取り付けられるバックミラー固定ベースを設け、前記アダプタ取付部による固定位置と前記バックミラー固定ベースによる固定位置とを異なる位置に設定した。
【００１０】
すなわち、このミラー取付アダプタを使用する際には、フロントウインドウに突設された固定ベースに、アダプタ本体のアダプタ取付部を取り付けるとともに、前記アダプタ本体に設けられたバックミラー固定ベースに、バックミラーの取付部を取り付ける。
【００１１】
このとき、前記アダプタ取付部による固定位置と前記バックミラー固定ベースによる固定位置とは、異なる位置に設定されている。このため、フロントウインドウに突設された固定ベースの位置を移動すること無く、前記バックミラーの設定位置が変更される。
【００１２】
これにより、バックミラーをルーフ等に新設する際には、新設のバックミラーによる視界範囲と、前記アダプタ本体に設けられたバックミラーによる視界範囲との干渉が防止される。あるいは、前記アダプタ本体に前記バックミラー取付部を複数設定することで、前記フロントウインドウに複数のバックミラーが取り付けられる。
【００１３】
そして、前記アダプタ本体には、当該車両に設けられた標準バックミラーが取り付けられる。
【００１４】
また、請求項２のミラー取付アダプタにおいては、前記アダプタ本体に設けられた前記バックミラー固定ベースを二箇所に設定した。
【００１５】
これにより、二箇所に設定された各バックミラー固定ベースのそれぞれに標準バックミラーを取り付けることによって、運転席から車両後方を確認する為の運転席用バックミラーと、助手席から車両後方を確認する為の助手席用バックミラーとが設置される。
【００１６】
さらに、請求項３のミラー取付アダプタでは、前記アダプタ本体に設けられた前記バックミラー固定ベースを一箇所に設定するとともに、その設定位置を、取付状態において前記アダプタ取付部による固定位置より下方に設定した。
【００１７】
すなわち、前記バックミラー固定ベースによるバックミラーの固定位置は、アダプタ取付部によるフロントウインドウへの固定位置より下方に設定されており、このミラー取付アダプタを介して固定されるバックミラーの固定位置が標準車より下方へ移動される。
【発明の効果】
【００１８】
以上説明したように本発明の請求項１のミラー取付アダプタにあっては、アダプタ取付部によるフロントウインドウへの固定位置と、バックミラー固定ベースによるバックミラーの固定位置とが異なる位置に設定されており、フロントウインドウに突設された固定ベースの位置を移動すること無く、当該ミラー取付アダプタを介して取り付けられるバックミラーの固定位置を変更することができる。
【００１９】
このため、車両後方を視認する上で最も良い位置に設けられた既存のバックミラーを移動すること無く、新設のバックミラーを設けなければならなかった従来と比較して、後付のバックミラーによる後方視認性を向上することができる。
【００２０】
すなわち、バックミラーをルーフ等に新設する際には、新設のバックミラーによる視界範囲と、前記アダプタ本体に設けられたバックミラーによる視界範囲との干渉を防止することができる。これにより、一方のバックミラーに他方のバックミラーが映り込む恐れのある場合と比較して、映り込みを回避する為の工夫や回避構造を備えたバックミラーが不要となり、当該車両で採用された標準バックミラーの利用が可能となる。したがって、膨大なコスト高を招くこと無く、バックミラーを追加することができる。
【００２１】
あるいは、前記アダプタ本体に前記バックミラー固定ベースを複数設定することで、前記フロントウインドウに複数のバックミラーを取り付けることができる。この場合、取り付けられる各バックミラーによる視認性が良好な位置に、各バックミラー固定ベースを設定することができ、各バックミラーによる良好な視認性を確保することができる。
【００２２】
このとき、前述と同様に、当該車両で採用された標準バックミラーの利用が可能となる。このため、二つのミラーが設けられた特注品のバックミラーを必要とする、又はバックミラー新設用の固定ベースが二箇所に設けられたフロントウインドウを必要とする従来と比較して、膨大なコスト高を招くこと無く、バックミラーを追加することができる。
【００２３】
また、請求項２のミラー取付アダプタにおいては、二箇所に設定された各バックミラー固定ベースのそれぞれに標準バックミラーを取り付けることによって、運転席から車両後方を確認する為の運転席用バックミラーと、助手席から車両後方を確認する為の助手席用バックミラーとが設置することができる。
【００２４】
さらに、請求項３のミラー取付アダプタでは、バックミラー固定ベースによるバックミラーの固定位置は、アダプタ取付部によるフロントウインドウへの固定位置より下方に設定されており、このミラー取付アダプタを介して固定されるバックミラーの固定位置を標準車より下方へ移動することができる。
【００２５】
したがって、バックミラーをルーフに新設した場合であっても、新設のバックミラーによる視界範囲と、前記アダプタ本体に設けられたバックミラーによる視界範囲との干渉を回避することができる。
【発明を実施するための最良の形態】
【００２６】
（第１の実施の形態）
【００２７】
以下、本発明の第１の実施の形態を図に従って説明する。図１は、本実施の形態にかかるミラー取付アダプタ１を示す図であり、該ミラー取付アダプタ１は、自動車教習用の教習車２で使用されている。なお、本実施の形態にあっては、前記ミラー取付アダプタ１を教習車２で使用した場合を例に挙げて説明するが、道路工事車両やパトロールカー等の助手席に着座した乗員の後方視界を得たい車両に応用することができる。
【００２８】
すなわち、この教習車２のフロントウインドウ１１には、ガラス貼り付けタイプの標準バックミラーが設置されている（図示省略）。このフロントウインドウ１１の内側面には、前記標準バックミラーに設けられた取付部が着脱可能に固定される固定ベース１２が突設されており、当該教習車２では、この固定ベース１２を利用して前記フロントウインドウ１１に固定される前記ミラー取付アダプタ１によって、生徒が着座する運転席から車両後方を確認する為の運転席用バックミラー１３と、教官が着座する助手席から車両後方を確認する為の助手席用バックミラー１４とが設けられている。
【００２９】
前記ミラー取付アダプタ１は、図２に示すように、縦長の板状に形成されたアダプタ本体２１を中心に構成されており、取付状態において前記フロントウインドウ１１に対向する前記アダプタ本体２１の裏面には、前記固定ベース１２に脱着可能に取り付けられ当該アダプタ本体２１を固定するアダプタ取付部２２が長さ方向中央部に設けられている。このアダプタ取付部２２は、前記標準バックミラーに設けられた取付部と同形状に形成されており、固定性等の性能が前記標準バックミラーの場合と同様となるとともに、その取付方向が同方向となるように構成されている。
【００３０】
この取付状態において車室内Ｉ側を構成する前記アダプタ本体２１の表面には、前記アダプタ取付部２２を境とした上側及び下側のそれぞれにバックミラー固定ベース３１，３１が突設されており、各バックミラー固定ベース３１，３１による固定位置は、前記アダプタ取付部２２による固定位置と異なる位置に設定されている。
【００３１】
前記両バックミラー固定ベース３１，３１は、前記フロントウインドウ１１に設けられた前記固定ベース１２と同形状に形成されており、前記標準バックミラーを固定できるように構成されている。これにより、このバックミラー固定ベース３１に前記標準バックミラーを取り付けて固定した際には、当該標準バックミラーをフロントウインドウ１１の固定ベース１２に取り付けて固定した場合と同様の固定性等の性能が得られるように構成されている。
【００３２】
また、前記取付状態において前記アダプタ本体２１の上側に設けられた前記バックミラー固定ベース３１には、前記助手席用バックミラー１４が取り付けられて固定されるように構成されており、前記アダプタ本体２１の下側に設けられた前記バックミラー固定ベース３１には、前記運転席用バックミラー１３が取り付けられて固定されるように構成されている。
【００３３】
前記運転席用バックミラー１３及び前記助手席用バックミラー１４は、同形状に形成されており、交換用に販売されている量産品の前記標準バックミラーで構成されている。すなわち、両バックミラー１３，１４は、横長の長方形状のミラー本体４１と、該ミラー本体４１を傾倒自在に支持するステイ４２と、該ステイ４２の基端に傾倒自在に設けられた取付部４３とからなり、該取付部４３は、フロントウインドウ１１に設けられた前記固定ベース１２及び前記アダプタ本体２１に設けられた前記バックミラー固定ベース３１のいずれにも選択的に取り付けられるように構成されている。
【００３４】
以上の構成にかかる本実施の形態において、このミラー取付アダプタ１を使用する際には、フロントウインドウ１１に突設された固定ベース１２に、アダプタ本体２１のアダプタ取付部２２を取り付けて固定するとともに、前記アダプタ本体２１に設けられたバックミラー固定ベース３１，３１に、運転席用及び助手席用バックミラー１３，１４の取付部４３，４３を取り付けて固定することができる。これにより、車両への変更改造が不要となる。
【００３５】
このとき、前記アダプタ取付部２２による固定位置と、前記各バックミラー固定ベース３１，３１による固定位置とは、異なる位置に設定されている。このため、フロントウインドウ１１に突設された固定ベース１２の位置を移動すること無く、前記各バックミラー１３，１４の設定位置を変更することができる。
【００３６】
このため、車両後方を視認する上で最も良い位置に設けられた既存のバックミラーを移動すること無く新設のバックミラーを設けなければならなかった従来と比較して、前記各バックミラー１３，１４による良好な後方視認性を両立させることができる。
【００３７】
つまり、前記アダプタ本体２１に設けられた二箇所のバックミラー固定ベース３１，３１を利用することによって、前記フロントウインドウ１１に運転席用バックミラー１３と助手席用バックミラー１４とを取り付けることができる。そして、取り付けられる各バックミラー１３，１４による視認性が良好な位置、つまりバックミラーを設定するにあたって最良の位置に設定された前記固定ベース１２の上下に前記各バックミラー固定ベース３１，３１を設定することで、各バックミラー１３，１４による良好な視認性を両立することができる。
【００３８】
このとき、前記運転席用バックミラー１３及び前記助手席用バックミラー１４を、当該車両用の標準バックミラーで構成することができるため、二つのミラーが設けられた特注品のバックミラーを必要とする、又はバックミラー新設用の固定ベースが二箇所に設けられたフロントウインドウを必要とする従来と比較して、膨大なコスト高を招くこと無く、バックミラーを追加することができる。
【００３９】
（第２の実施の形態）
【００４０】
図３は、第２の実施の形態を示す図であり、第１の実施の形態と異なる部分のみ説明する。
【００４１】
すなわち、本実施の形態にかかるミラー取付アダプタ５１のアダプタ本体２１の裏面には、取付状態にて上側の部位に、フロントウインドウ１１の固定ベース１２に脱着可能に取り付けられ当該アダプタ本体２１を固定する前記アダプタ取付部２２が設けられている。
【００４２】
また、前記アダプタ本体２１の表面には、取付状態において前記アダプタ取付部２２より下側の部位の一箇所に前記バックミラー固定ベース３１が突設されており、この固定ベース３１には、前記運転席用バックミラー１３の取付部４３が取り付けられて固定されている。
【００４３】
以上の構成において、前記ミラー取付アダプタ５１におけるバックミラー固定ベース３１による固定位置は、前記アダプタ取付部２２による固定位置より下方に設定されている。このため、フロントウインドウ１１に突設された固定ベース１２の位置を移動すること無く、前記運転席用バックミラー１３の設定位置を下方へ変更することができる。これにより、該運転席用バックミラー１３の上方空間を広げることができ、新設ミラーの取付自由度を大幅に向上することができるとともに、この上方空間での取付作業性を向上することができる。
【００４４】
そして、この上方空間を利用して助手席用バックミラー１４をルーフ６１に新設する際には、新設される助手席用バックミラー１４による視界範囲と、前記アダプタ本体５１に取り付けられた運転席用バックミラー１３による視界範囲との干渉を防止することができる。
【００４５】
これにより、一方のバックミラーに他方のバックミラーが映り込む恐れのある場合と比較して、映り込みを回避する為の工夫や回避構造を備えたバックミラーが不要となり、当該車両に採用された標準バックミラーの利用が可能となる。したがって、膨大なコスト高を招くこと無く、バックミラーを追加することができる。
【００４６】
また、車両後方を視認する上で最も良い位置に設けられた既存のバックミラーを移動すること無く新設のバックミラーをルーフに設けなければならなかった従来と比較して、前記各バックミラー１３，１４による良好な後方視認性を確保することができる。
【図面の簡単な説明】
【００４７】
【図１】本発明の第１の実施の形態を示す模式図である。
【図２】同実施の形態の要部を示す拡大図である。
【図３】本発明の第２の実施の形態を示す模式図である。
【図４】（ａ）は第１従来例を示す図で、（ｂ）は第２従来例を示す図で、（ｃ）は第３従来例を示す図である。
【符号の説明】
【００４８】
１    ミラー取付アダプタ
２    教習車
１１    フロントウインドウ
１２    固定ベース
１３    運転席用バックミラー
１４    助手席用バックミラー
２１    アダプタ本体
２２    アダプタ取付部
３１    バックミラー固定ベース
４３    取付部
５１    ミラー取付アダプタ
６１    ルーフ
【図１】
2005280494.tif 000003
【図２】
2005280494.tif 000004
【図３】
2005280494.tif 000005
【図４】
2005280494.tif 000006